(57)【要約】【課題】省電力化を図ること。【解決手段】電源スイッチ４８のオン状態では熱発電モジュール７０が右ヒートシンク３９のダイオードブリッジ５４とスイッチングレギュレータ５５とダイオード５６のそれぞれからの熱で発電し、スーパーキャパシタ６５が熱発電モジュール７０からの電力を充電する。この構成の場合には電源スイッチ４８のオフ状態でスーパーキャパシタ６５からメイン制御回路２８のＲＡＭにデータバックアップ用の直流電源が印加されるので、メイン制御回路２８で省電力化が促進される。【選択図】図４
2010233607.tif 000002
【特許請求の範囲】
【請求項１】
パチンコホールの島設備から交流電源が供給されるものであって、交流電源が供給されることで直流電源を生成する電源基板と、
前記電源基板に交流電源を供給するオン状態および前記電源基板から交流電源を遮断するオフ状態相互間で操作可能な電源スイッチと、
前記電源スイッチのオン状態で前記電源基板から直流電源が供給される第１の電気部品と、
相互に対向する受熱面および非受熱面を有するものであって、受熱面および非受熱面相互間で温度差が生成されることで発電すると共に前記電源スイッチのオン状態で前記第１の電気部品から受熱面に熱が供給される熱発電モジュールと、
前記熱発電モジュールに電気的に接続されたものであって、前記熱発電モジュールが発電した電源を充電する充電器と、
前記電源スイッチのオフ状態またはオン状態で前記充電器から充電電源が供給される第２の電気部品を備えたことを特徴とするパチンコ遊技機。
【発明の詳細な説明】
【技術分野】
【０００１】
本発明はパチンコホールの島設備から交流電源が供給されるパチンコ遊技機に関する。
【背景技術】
【０００２】
パチンコ遊技機にはパチンコホールの島設備から供給される交流電源を電源基板で直流電源に変換し、電源基板からマイクロコンピュータと電気的なセンサと電気的なアクチュエータのそれぞれに直流電源を供給する構成のものがある。これらマイクロコンピュータ〜アクチュエータのそれぞれの省電力化は十分になされており、マイクロコンピュータ〜アクチュエータのそれぞれに工夫を施すことで一層の省電力化を図ることは困難である。
【先行技術文献】
【特許文献】
【０００３】
【特許文献１】特開平１０−２８６３４７号公報
【発明の概要】
【発明が解決しようとする課題】
【０００４】
特許文献１には発電機のロータをステータに対して回転させることで発電する技術が開示されている。この特許文献１は遊技球が転動するときのエネルギーでロータを回転させることで発電するものであり、電気部品で発生する熱を利用して発電するものではない。
【課題を解決するための手段】
【０００５】
本発明のパチンコ遊技機は［１］電源基板〜［６］第２の電気部品を備えたところに特徴を有する。
［１］電源基板はパチンコホールの島設備から交流電源が供給されるものであり、交流電源が供給されることで直流電源を生成する。図４の符号３７は電源基板に相当する。
［２］電源スイッチは電源基板に交流電源を供給するオン状態および電源基板から交流電源を遮断するオフ状態相互間で操作可能なものであり、図４の符号４８は電源スイッチに相当する。
［３］第１の電気部品は電源スイッチのオン状態で電源基板から直流電源が供給されるものであり、図４のダイオードブリッジ５４と図４のスイッチングレギュレータ５５と図４のダイオード５６と図９の図柄表示器３０のそれぞれは第１の電気部品に相当する。
［４］熱発電モジュールは相互に対向する受熱面および非受熱面を有するものである。この熱発電モジュールは受熱面および非受熱面相互間で温度差が生成されることで発電するものであり、電源スイッチのオン状態で第１の電気部品から受熱面に熱が供給される。図４の符号７０は熱発電モジュールに相当し、図６のペルチェ素子７３の下面は受熱面に相当し、図６のペルチェ素子７３の上面は非受熱面に相当する。
［５］充電器は熱発電モジュールに電気的に接続されたものであり、熱発電モジュールが発電した電源を充電する。図４のスーパーキャパシタ６５は充電器に相当する。
［６］第２の電気部品は電源スイッチのオフ状態またはオン状態で充電器から充電電源が供給されるものであり、図３のメイン制御回路２８のＲＡＭは第２の電気部品に相当する。このため、電源スイッチのオン状態では熱発電モジュールが第１の電気部品からの熱で発電すると共に充電器が熱発電モジュールからの電力を充電し、電源スイッチのオフ状態またはオン状態では第２の電気部品が充電器からの電力で駆動するので、第２の電気部品で省電力化が促進される。この第２の電気部品は第１の電気部品と同一のものであっても良い。
【図面の簡単な説明】
【０００６】
【図１】実施例１を示す図（パチンコ遊技機の外観を示す斜視図）
【図２】パチンコ遊技機の外観を前枠の除去状態で前方から示す図
【図３】電気的な構成を示す図
【図４】電源基板を示す図
【図５】熱発電モジュールの外観を一部破断して斜視図
【図６】ペルチェ素子を示す図
【図７】実施例２を示す図４相当図
【図８】実施例３を示す図４相当図
【図９】実施例４を示す図（図柄表示器および熱発電モジュールを示す図）
【発明を実施するための形態】
【０００７】
【実施例１】
【０００８】
パチンコホールの台島には、図１に示すように、外枠１が設置されている。この外枠１は前面および後面のそれぞれが開口する四角筒状をなすものであり、外枠１には外枠１の前方に位置して内枠２が上下方向へ指向する軸３を中心に回動可能に装着されている。この内枠２は、図２に示すように、縦長な四角環状をなすものであり、左板部と右板部と上板部と下板部を有している。この内枠２は外枠１の前端面に前方から接触する閉鎖状態および外枠１の前端面から前方へ離間する開放状態相互間で軸３を中心に回動操作されるものであり、内枠ロック機構を介して閉鎖状態にロックされている。
【０００９】
内枠２には、図１に示すように、内枠２の前方に位置して前枠４が装着されている。この前枠４は内枠２の前面を閉鎖する閉鎖状態および内枠２の前面を開放する開放状態相互間で内枠２と共通の軸３を中心に回動操作されるものであり、前枠４には円形状の貫通孔が形成され、貫通孔の内周面には透明なガラス製の窓５が固定されている。この前枠４にはシリンダー錠を主体に構成された錠機構６が装着されており、前枠４は錠機構６を介して閉鎖状態にロックされている。この内枠２には窓５の下方に位置して上皿７が固定されており、上皿７内には遊技球が貯留されている。
【００１０】
前枠４には、図１に示すように、左上部および右上部のそれぞれに位置してスピーカ８が固定されている。これら両スピーカ８のそれぞれは前方に向けて効果音を出力するものであり、前枠４には両スピーカ８のそれぞれの前方に位置して網状のスピーカカバー９が固定されている。この前枠４には左上部および右上部のそれぞれに位置してレンズ１０が固定されている。この前枠４には両レンズ１０のそれぞれの後方に位置して複数の電飾ＬＥＤ１１が固定されており、両レンズ１０のそれぞれは後方の電飾ＬＥＤ１１が点灯することで照明される。
【００１１】
内枠２には、図１に示すように、前枠４の下方に位置して前板１２が固定されている。この前板１２にはハンドル台１３が固定されており、ハンドル台１３には発射ハンドル１４が装着されている。この発射ハンドル１４は遊技者が前方から手指で操作することが可能なものであり、前後方向へ指向する軸を中心に回動可能にされている。内枠２には、図２に示すように、下端部に位置して台板１５が固定されており、台板１５にはロータリーソレノイドからなる発射ソレノイド１６が固定されている。この発射ハンドル１６は発射ハンドル１４が操作されることで駆動電源が与えられるものであり、発射ソレノイド１６の出力軸には打球槌１７（図１参照）が連結されている。この打球槌１７は遊技球を叩くものであり、発射ソレノイド１６は駆動電源が与えられることで打球槌１７を待機位置および打球位置相互間で往復的に移動操作する。
【００１２】
内枠２の台板１５には、図２に示すように、発射レール１８が固定されている。この発射レール１８は打球槌１７が打球位置から待機位置に移動することに連動して上皿７内から遊技球が供給されるものであり、右から左に向けて上昇する傾斜状をなしている。この発射レール１８の右端部には球止め板１９が形成されており、球止め板１９には遊技球が通過不能な大きさの貫通孔が形成されている。この球止め板１９は発射レール１８上の遊技球が発射レール１８の右端部から転落することを防止するものであり、打球槌１７は待機位置から打球位置に移動することで球止め板１９が転落不能に支持する遊技球を球止め板１９の貫通孔を通して右から左に向けて叩き、発射レール１８に沿って右から左に向けて転動させる。
【００１３】
内枠２には、図２に示すように、台板１５の上方に位置して垂直な板状の遊技盤２０が固定されている。この遊技盤２０は前枠４の閉鎖状態で前枠４の後方に位置するものであり、遊技盤２０の前面には内レール２１と外レール２２と球止めゴム２３が固定されている。内レール２１は上面が開口する円弧状の金属板から構成されたものであり、外レール２２は内レール２１の外周部に配置された円弧状の金属板から構成されたものであり、球止めゴム２３は内レール２１の右端部および外レール２２の右端部相互間の隙間を塞ぐゴムから構成されている。
【００１４】
遊技盤２０には、図２に示すように、内レール２１および外レール２２相互間に位置して発射通路２４が形成されている。この発射通路２４は下端部および上端部のそれぞれが開口する円弧状をなすものであり、発射レール１８の左端部から発射された遊技球は発射通路２４の下端部を通って発射通路２４内に進入する。この遊技球は発射通路２４に沿って円弧状の軌跡を描きながら上昇し、発射通路２４の上端部から放出される。遊技盤２０には発射通路２４の右方に隣接して遊技領域２５が形成されている。この遊技領域２５は内レール２１と外レール２２と球止めゴム２３で囲まれた領域のうち発射通路２４を除く残りの円形状の領域を称するものであり、発射通路２４の上端部から放出された遊技球が転動可能な最大範囲に相当する。この遊技領域２５は前枠４の閉鎖状態で前枠４の窓５が前方から対向するものであり、前枠４の閉鎖状態で前方から窓５を通して視覚的に認識可能にされている。この遊技盤２０には遊技領域２５内に位置して複数の障害釘が固定されており、発射通路２４の上端部から遊技領域２５内に放出された遊技球は障害釘に当りながら遊技領域２５内を落下する。
【００１５】
遊技盤２０には、図２に示すように、遊技領域２５内に位置して始動口２６が固定されている。この始動口２６は遊技領域２５内を転動する遊技球が入賞可能なポケット状をなすものであり、始動口２６内には始動口センサ２７（図３参照）が固定されている。この始動口センサ２７は近接スイッチからなるものであり、遊技球が始動口２６内に入賞した場合には始動口センサ２７から始動信号が出力される。この始動口センサ２７は、図３に示すように、マイクロコンピュータを主体に構成されたメイン制御回路２８に接続されている。このメイン制御回路２８遊技盤２０に遊技盤２０の後方に位置して固定されたものであり、ＣＰＵとＲＯＭとＲＡＭを有している。
【００１６】
メイン制御回路２８は大当りカウンタを有しており、始動口センサ２７から始動信号が出力されたと判断した場合に大当りカウンタの更新結果を検出する。この大当りカウンタは一定時間が経過する毎に単位値が加算されるものであり、下限値から上限値に加算された場合には下限値に戻して循環的に加算される。このメイン制御回路２８は大当りカウンタの更新結果を検出した場合に大当りカウンタの検出結果を大当り値と比較するものであり、大当りカウンタの検出結果が大当り値と同一であると判断した場合に大当りであると判定し、大当りカウンタの検出結果が大当り値と相違していると判断した場合に外れであると判定する。
【００１７】
遊技盤２０には、図２に示すように、遊技領域２５内に位置して表示台枠２９が固定されており、表示台枠２９には図柄表示器３０が固定されている。この図柄表示器３０は液晶表示器からなるものであり、図柄表示器３０には、図３に示すように、マイクロコンピュータを主体に構成された表示制御回路３１が接続されている。この表示制御回路３１はＣＰＵとＲＯＭとＲＡＭを有するものであり、メイン制御回路２８に接続されている。このメイン制御回路２８は大当りであると判定した場合に表示制御回路３１に大当りコマンドを送信し、外れであると判定した場合に表示制御回路３１に外れコマンドを送信するものであり、表示制御回路３１は大当りコマンドおよび外れコマンドのそれぞれを受信した場合には図柄表示器３０に図柄遊技の映像を表示する。
【００１８】
図柄遊技の映像は左列の識別図柄と中列の識別図柄と右列の識別図柄のそれぞれを変動状態および変動停止状態で順に表示するものである。これら各列の識別図柄の変動表示は識別図柄を予め決められた順序「１」→「２」→「３」→「４」→「５」→「６」→「７」→「８」→「１」・・・で循環的に変化させるものであり、表示制御回路３１は大当りコマンドを受信した場合には３列の識別図柄が相互に同一な大当りの組合せとなるように識別図柄を１）左列２）右列３）中列の順に変動停止させ、外れコマンドを受信した場合には３列の識別図柄が相互に同一ではない外れの組合せとなるように識別図柄を１）左列２）右列３）中列の順に変動停止させ、メイン制御回路２８の判定結果を３列の識別図柄の変動停止時の組合せで遊技者に報知する。
【００１９】
遊技盤２０には、図２に示すように、遊技領域２５内に位置して特別入賞口３２が固定されている。この特別入賞口３２は前面が開口する横長な箱状をなすものであり、特別入賞口３２には扉３３が水平な軸３４を中心に回動可能に装着されている。この扉３３は特別入賞口ソレノイド３５（図３参照）のプランジャに連結されており、特別入賞口ソレノイド３５の電気的なオフ状態では扉３３が垂直な閉鎖状態になることで特別入賞口３２の前面を遊技球が入賞不能に閉鎖する。この扉３３は特別入賞口ソレノイド３５の電気的なオン状態で前方へ水平に倒れた開放状態になるものであり、扉３３の開放状態では遊技領域２５内を転動する遊技球が扉３３に乗って特別入賞口３２に入賞することが許容される。この特別入賞口３２内には近接スイッチからなるカウントセンサ３６（図３参照）が固定されており、遊技球が特別入賞口３２に入賞した場合にはカウントセンサ３６からカウント信号が出力される。
【００２０】
メイン制御回路２８には、図３に示すように、特別入賞口ソレノイド３５が接続されており、メイン制御回路２８は大当りであると判定した場合には図柄表示器３０に３列の識別図柄が大当りの組合せで表示された後に特別入賞口ソレノイド３５をオンすることで大当りラウンドを開始する。この大当りラウンドは特別入賞口３２を開放することで特別入賞口３２に遊技球が入賞することを許容するものであり、上限個数の遊技球が特別入賞口３２に入賞した場合および特別入賞口３２の開放時間が上限時間に到達した場合のいずれかに終了する。この大当りラウンドは予め決められた限度回数が繰返されるものであり、大当りラウンドの限度回数の繰返しを大当り遊技と称する。
【００２１】
遊技盤２０には、図４に示すように、遊技盤２０の後方に位置して垂直な電源基板３７が固定されている。この電源基板３７はパチンコホールの島設備にケーブルを介して接続されたものであり、電源基板３７にはパチンコホールの島設備からケーブルを通して交流の主電源Ｖinが供給される。この電源基板３７は主電源Ｖinを整流および降圧することで両スピーカ８と複数の電飾ＬＥＤ１１と発射ソレノイド１６と始動口センサ２７とメイン制御回路２８と図柄表示器３０と表示制御回路３１と特別入賞口ソレノイド３５とカウントセンサ３６のそれぞれの直流の駆動電源を生成するものであり、電源基板３７には後方から透明な基板カバー３８が着脱可能に装着されている。この基板カバー３８は前面が開口する容器状をなすものであり、電源基板３７の後面を後方から視覚的に認識可能に覆っている。
【００２２】
電源基板３７の後面には、図４に示すように、基板カバー３８の内部に位置して右ヒートシンク３９および左ヒートシンク４０が固定されている。これら右ヒートシンク３９および左ヒートシンク４０のそれぞれは水平な上板部４１および水平な下板部４２相互間を垂直な連結板部４３を介して連結してなる曲折した形状を有するものであり、アルミニウムを材料に成形されている。これら右ヒートシンク３９の上板部４１と右ヒートシンク３９の下板部４２と左ヒートシンク４０の上板部４１と左ヒートシンク４０の下板部４２のそれぞれには取付部４４が形成されており、右ヒートシンク３９および左ヒートシンク４０のそれぞれは後方から２個の取付部４４のそれぞれを通して電源基板３７にネジを螺合することで電源基板３７に機械的に固定されている。これら右ヒートシンク３９および左ヒートシンク４０のそれぞれは電気部品で発生した熱を放出することで電気部品を冷却するものであり、右ヒートシンク３９の下板部４２にはアルミニウムからなる櫛歯状の放熱フィン４５が接触状態で固定されている。
【００２３】
電源基板３７には、図４に示すように、閉鎖領域４６および開放領域４７が形成されている。閉鎖領域４６は電源基板３７の後面のうち右ヒートシンク３９および左ヒートシンク４０相互間の縦長な長方形状の領域を称するものであり、開放領域４７は電源基板３７の後面うち閉鎖領域４６を除く残りの領域を称する。この電源基板３７の開放領域４７内には電源スイッチ４８と複数のコネクタ４９と初期化スイッチ５０とヒューズホルダー５１と複数のバリスタ５２とインダクタ５３と複数のダイオードブリッジ５４と複数のスイッチングレギュレータ５５と複数のダイオード５６と複数のセラミックコンデンサ５７と複数のフィルムコンデンサ５８が搭載されている。
【００２４】
電源スイッチ４８はオン状態およびオフ状態のそれぞれに自己保持されるロッカースイッチからなるものであり、基板カバー３８の外部に操作可能に突出している。この電源スイッチ４８は主電源Ｖinを電源基板３７に供給するための給電路に介在されたものであり、電源基板３７には電源スイッチ４８のオン状態で主電源Ｖinが供給され、電源スイッチ４８のオフ状態で主電源Ｖinが遮断される。複数のコネクタ４９のそれぞれは対のコネクタが機械的および電気的に接続されるものであり、基板カバー３８の外部に配置されている。初期化スイッチ５０はオン状態からオフ状態に自己復帰するプッシュスイッチからなるものである。この初期化スイッチ５０は基板カバー３８の外部に操作可能に配置されたものであり、メイン制御回路２８はメイン制御回路２８の起動時に初期化スイッチ５０がオンされていると判断した場合にＲＡＭのバックアップデータを初期化する。ヒューズホルダー５１は異常電流が流れることで溶断する電源ヒューズが着脱可能に装着されたものであり、複数のバリスタ５２のそれぞれは主電源Ｖinの電源電圧が一定値を超えた場合に電流が流れ始めることで被保護回路を過電圧から保護するものであり、インダクタ５３は主電源Ｖinからノイズを除去するものであり、ヒューズホルダー５１と複数のバリスタ５２とインダクタ５３のそれぞれは基板カバー３８の内部に配置されている。
【００２５】
複数のダイオードブリッジ５４のそれぞれは主電源Ｖinを整流するものであり、基板カバー３８の内部に配置されている。これら複数のダイオードブリッジ５４のそれぞれはダイオードをブリッジ接続してなるものであり、左ヒートシンク４０の下板部４２には１個のダイオードブリッジ５４がネジ止めされることで接触し、左ヒートシンク４０の連結板部４３には２個のダイオードブリッジ５４がネジ止めされることで接触し、右ヒートシンク３９の放熱フィン４５には１個のダイオードブリッジ５４がネジ止めされることで接触している。複数のスイッチングレギュレータ５５のそれぞれはダイオードブリッジ５４からの出力を降圧することで定電圧化するものであり、右ヒートシンク３９の連結板部４３および左ヒートシンク４０の連結板部４３のそれぞれには１個のスイッチングレギュレータ５５および１個のダイオード５６がネジ止めされることで接触している。
【００２６】
電源基板３７の閉鎖領域４６内には、図４に示すように、三端子レギュレータ５９と集積回路６０と複数のダイオード６１とツェナーダイオード６２と複数のセラミックコンデサ６３と複数の電解コンデンサ６４とスーパーキャパシタ６５と複数の抵抗６６と複数のインダクタ６７が搭載されている。これら三端子レギュレータ５９〜複数のインダクタ６７のそれぞれは基板カバー３８の内部に配置されたものであり、三端子レギュレータ５９はスイッチングレギュレータ５５が降圧した直流電源を降圧し、複数の電解コンデンサ６４のそれぞれはダイオードブリッジ５４の出力を平滑し、複数のインダクタ６７のそれぞれは電解コンデンサ６４の出力から脈動分を除去する。
【００２７】
右ヒートシンク３９の上板部４１には、図４に示すように、熱発電モジュール７０が固定されている。この熱発電モジュール７０は電源基板３７の開放領域４７に基板カバー３８の内部に位置して固定されたものであり、図５に示すように、受熱側基板７１および冷却側基板７２相互間で複数のペルチェ素子７３を挟み込みことから構成されている。これら受熱側基板７１および冷却側基板７２のそれぞれはセラミック等の絶縁材からなるものであり、受熱側基板７１は右ヒートシンク３９の上板部４１に接触状態に固定されている。
【００２８】
複数のペルチェ素子７３のそれぞれは上面および下面相互間で温度差が生じることで発電するものであり、図６に示すように、Ｐ型の熱電半導体７４とＮ型の熱電半導体７５と受熱側電極板７６と冷却側電極板７７と冷却側電極板７８を有している。受熱側電極板７６は受熱側基板７１に接触状態で固定されたものであり、Ｐ型の熱電半導体７４の下面およびＮ型の熱電半導体７５の下面相互間は受熱側電極板７６を介して電気的および機械的に接続されている。冷却側電極板７７はＰ型の熱電半導体７４の上面に電気的および機械的に接続されたものであり、冷却側電極板７８はＮ型の熱電半導体７５の上面に電気的および機械的に接続されたものであり、冷却側電極板７７および冷却側電極板７８のそれぞれは冷却側基板７２に接触状態で固定されている。これら複数のペルチェ素子７３のそれぞれのＰ型の熱電半導体７４の下面およびＮ型の熱電半導体７５の下面は右ヒートシンク３９のダイオードブリッジ５４で発生した熱とスイッチングレギュレータ５５で発生した熱とダイオード５６で発生した熱のそれぞれが右ヒートシンク３９から受熱側基板７１を通して伝達されるものであり、複数のペルチェ素子７３のそれぞれのＰ型の熱電半導体７４の上面および下面相互間には右ヒートシンク３９からの熱で温度が生成され、複数のペルチェ素子７３のそれぞれのＮ型の熱電半導体７５の上面および下面相互間には右ヒートシンク３９からの熱で温度が生成される。
【００２９】
複数のペルチェ素子７３のそれぞれの冷却側電極板７７は、図５に示すように、スーパーキャパシタ６５の一方の端子にケーブル７９を介して接続され、複数のペルチェ素子７３のそれぞれの冷却側電極板７８はスーパーキャパシタ６５の他方の端子にケーブル７９を介して接続されており、右ヒートシンク３９のダイオードブリッジ５４とスイッチングレギュレータ５５とダイオード５６のそれぞれが電気的に駆動する電源スイッチ４８のオン状態では複数のペルチェ素子７３のそれぞれの上面および下面相互間で温度差が生じることで複数のペルチェ素子７３のそれぞれが発電し、複数のペルチェ素子７３のそれぞれからスーパーキャパシタ６５に両ケーブル７９を通して電源が与えられる。このスーパーキャパシタ６５は複数のペルチェ素子７３のそれぞれから供給される電源を充電するものであり、電源スイッチ４８のオフ状態ではスーパーキャパシタ６５からメイン制御回路２８のＲＡＭに電源が印加されることでメイン制御回路２８のＲＡＭにデータがバックアップされる。
【００３０】
冷却側基板７２には、図４に示すように、アルミニウム製の冷却フィン８０が固定されている。この冷却フィン８０は板状のフィンベース８１および櫛歯状の複数のフィン８２を有するものであり、フィンベース８１は冷却側基板７２に接触状態で固定されている。基板カバー３８には貫通孔状の窓８３が形成されており、複数のフィン８２のそれぞれは窓８３を通して基板カバー３８の外部に突出している。これら複数のフィン８２のそれぞれは基板カバー３８の内部の空気に比べて低温度の外気が接触するものであり、複数のペルチェ素子７３のそれぞれの上面および下面相互間の温度差を冷却フィン８０が存在しない場合に比べて大きくすることで複数のペルチェ素子７３のそれぞれでの発電量を高める。
【００３１】
上記実施例１によれば次の効果を奏する。
電源スイッチ４８のオン状態では熱発電モジュール７０が右ヒートシンク３９のダイオードブリッジ５４とスイッチングレギュレータ５５とダイオード５６のそれぞれからの熱で発電すると共にスーパーキャパシタ６５が熱発電モジュール７０からの電力を充電し、電源スイッチ４８のオフ状態ではメイン制御回路２８のＲＡＭにスーパーキャパシタ６５からデータバックアップ用の直流電源が印加されるので、メイン制御回路２８で省電力化が促進される。
【実施例２】
【００３２】
右ヒートシンク３９の連結板部４３には、図７に示すように、熱発電モジュール７０が固定されている。この熱発電モジュール７０は電源基板３７の外部領域４７に配置されたものであり、右ヒートシンク３９のダイオードブリッジ５４とスイッチングレギュレータ５５とダイオード５６のそれぞれが電気的に駆動している電源スイッチ４８のオン状態では複数のペルチェ素子７３のそれぞれの上面および下面相互間で温度差が生じることで複数のペルチェ素子７３のそれぞれが発電し、複数のペルチェ素子７３のそれぞれからスーパーキャパシタ６５にバックアップ用の電源が充電される。
【実施例３】
【００３３】
右ヒートシンク３９の下板部４２には、図８に示すように、取付板部９１が形成されている。この取付板部９１は連結板部４３に対して平行な垂直なものであり、取付板部９１には熱発電モジュール７０が固定されている。この熱発電モジュール７０は貫通孔状の窓９２を通して基板カバー３８の外部に突出している。この窓９２は基板ケース３８に形成されたものであり、熱発電モジュール７０には放熱フィン８０が固定されている。この放熱フィン８０は基板カバー３８の外部に配置されたものであり、右ヒートシンク３９のダイオードブリッジ５４とスイッチングレギュレータ５５とダイオード５６のそれぞれが電気的に駆動している電源スイッチ４８のオン状態では複数のペルチェ素子７３のそれぞれの上面および下面相互間で温度差が生じることで複数のペルチェ素子７３のそれぞれが発電し、複数のペルチェ素子７３のそれぞれからスーパーキャパシタ６５にバックアップ用の電源が充電される。
【００３４】
上記実施例１と実施例２と実施例３のそれぞれにおいては、熱発電モジュール７０を左ヒートシンク４０の上板部４１または下板部４２または連結板部４３に接触状態で固定しても良い。
【実施例４】
【００３５】
図柄表示器３０は、図９に示すように、液晶パネル１０１とバックライト１０２とケース１０３を有するものである。ケース１０３は前面が開口するものであり、左側板と右側板と底板と天板と後板を有している。液晶パネル１０１はケース１０３の内部に固定されたものであり、ケース１０３の前面を塞いでいる。バックライト１０２はケース１０３の内部に液晶パネル１０１の後方に位置して固定されたものであり、蛍光灯から構成されている。この図柄表示器３０には熱発電モジュール７０が固定されており、熱発電モジュール７０には放熱フィン８０が固定されている。この熱発電モジュール７０は受熱側基板７１がケース１０３の後板に接触するように配置されたものであり、図柄表示器３０が電気的に駆動する電源スイッチ４８のオン状態では複数のペルチェ素子７３のそれぞれの上面および下面相互間にバックライト１０２からの熱で温度差が生じることで複数のペルチェ素子７３のそれぞれが発電し、複数のペルチェ素子７３のそれぞれからスーパーキャパシタ６５にバックアップ用の電源が充電される。
【００３６】
上記実施例１と実施例２と実施例３と実施例４のそれぞれにおいては、電源スイッチ４８のオン状態であってもスーパーキャパシタ６５に電源が充電されている場合にはスーパーキャパシタ６５からメイン制御回路２８のＲＡＭにバックアップ用の電源を優先的に供給しても良い。
【００３７】
上記実施例１〜実施例４のそれぞれにおいては、電源スイッチ４８のオフ状態でスーパーキャパシタ６５からスピーカ８または電飾ＬＥＤ１１に駆動電源を印加しても良い。
上記実施例１〜実施例４のそれぞれにおいては、熱発電モジュール７０からの電源をリチウム電池に充電する構成としても良い。
【００３８】
上記実施例１〜実施例４のそれぞれにおいては、熱発電モジュールに熱を供給する第１の電気部品および充電器から充電電源が供給される第２の電気部品が相互に同一のものであっても良い。例えば図柄表示器３０から熱発電モジュール７０に熱を与えることでスーパーキャパシタ６５を充電し、スーパーキャパシタ６５から図柄表示器３０に駆動電源を印加しても良い。
【符号の説明】
【００３９】
２８はメイン制御回路（第２の電気部品）、３０は図柄表示器（第１の電気部品）、３７は電源基板、４８は電源スイッチ、５４はダイオードブリッジ（第１の電気部品）、５５はスイッチングレギュレータ（第１の電気部品）、５６はダイオード（第１の電気部品）、６５はスーパーキャパシタ、７０は熱発電モジュールを示している。
【図１】
2010233607.tif 000003
【図２】
2010233607.tif 000004
【図３】
2010233607.tif 000005
【図４】
2010233607.tif 000006
【図５】
2010233607.tif 000007
【図６】
2010233607.tif 000008
【図７】
2010233607.tif 000009
【図８】
2010233607.tif 000010
【図９】
2010233607.tif 000011